(57)【要約】  空気調和機（５）は空気調和を行う。空気調和機（５）は、フィルター（５１）と、清掃部（５４）と、通信部（５８）と、制御部（５６）とを備える。フィルター（５１）は、空気中の塵埃を集塵する。清掃部（５４）は、フィルター（５１）を清掃する。通信部（５８）は、空気中の塵埃を集塵する空気清浄機（３）が検知した塵埃の量に基づく制御情報（ＣＮ）を受信する。制御部（５６）は、制御情報（ＣＮ）に基づいて清掃部（５４）に関する制御を実行する。
2019167313.tif 000002
【特許請求の範囲】
【請求項１】
空気調和を行う空気調和機であって、
空気中の塵埃を集塵するフィルターと、
前記フィルターを清掃する清掃部と、
空気中の塵埃を集塵する空気清浄機が検知した塵埃の量に基づく制御情報を受信する通信部と、
前記制御情報に基づいて前記清掃部に関する制御を実行する制御部と
を備える、空気調和機。
【請求項２】
前記制御部は、前記制御情報に基づいて前記清掃部の動作を制御する、請求項１に記載の空気調和機。
【請求項３】
前記制御部は、前記制御情報に基づいて、前記清掃部による前記フィルターの清掃回数を制御する、請求項１又は請求項２に記載の空気調和機。
【請求項４】
前記制御部は、前記制御情報に基づいて、前記清掃部による前記フィルターの清掃時間を制御する、請求項１から請求項３のいずれか１項に記載の空気調和機。
【請求項５】
前記制御部は、前記制御情報に基づいて前記清掃部に関する情報の報知を制御する、請求項１から請求項４のいずれか１項に記載の空気調和機。
【請求項６】
前記清掃部は、
前記フィルターに付着した塵埃を前記フィルターから取り除く塵埃除去部と、
前記塵埃除去部によって前記フィルターから取り除かれた塵埃を収容する塵埃収容部と
を含み、
前記清掃部に関する前記情報は、前記塵埃収容部を清掃すること、又は、前記塵埃収容部を交換することを示す、請求項１から請求項５のいずれか１項に記載の空気調和機。
【請求項７】
空気中の塵埃を集塵する空気清浄機と、
空気調和を行う空気調和機と、
ネットワークを介して前記空気清浄機及び前記空気調和機に接続するサーバーと
を備え、
前記空気清浄機は、
空気中の塵埃の量を検知する塵埃検知部と、
前記塵埃検知部が検知した塵埃の量を示す塵埃情報を前記サーバーに送信する通信部と
を含み、
前記サーバーは、前記空気調和機を制御する制御情報を前記塵埃情報に基づいて生成して、前記制御情報を前記空気調和機に送信し、
前記空気調和機は、
空気中の塵埃を集塵するフィルターと、
前記フィルターを清掃する清掃部と、
前記サーバーから前記制御情報を受信する通信部と、
前記制御情報に基づいて前記清掃部に関する制御を実行する制御部と
を含む、空気調和システム。
【発明の詳細な説明】
【技術分野】
【０００１】
本発明は、空気調和を行う空気調和機及び空気調和システムに関する。
【背景技術】
【０００２】
特許文献１に記載された集塵システムは、空気調和装置と、集塵装置とを備える。空気調和装置は、人の動作が大きくなって塵が多くなると、送風を停止するとともに、集塵装置を動作させる。その結果、空気調和装置の気流と集塵装置の気流とが干渉することなく、効率良く集塵できる。
【先行技術文献】
【特許文献】
【０００３】
【特許文献１】特開２０１２−２３６６号公報
【発明の概要】
【発明が解決しようとする課題】
【０００４】
しかしながら、特許文献１に記載された集塵システムでは、空気調和装置が、集塵装置の集塵動作開始と集塵動作終了とを制御するに過ぎない。また、特許文献１には、空気調和装置自身の清掃については何ら記載がない。【０００５】
本発明の目的は、フィルターを清掃する清掃部に関する制御を効率良く実行できる空気調和機及び空気調和システムを提供することにある。
【課題を解決するための手段】
【０００６】
本発明の一局面によれば、空気調和機は空気調和を行う。空気調和機は、フィルターと、清掃部と、通信部と、制御部とを備える。フィルターは、空気中の塵埃を集塵する。清掃部は、前記フィルターを清掃する。通信部は、空気中の塵埃を集塵する空気清浄機が検知した塵埃の量に基づく制御情報を受信する。制御部は、前記制御情報に基づいて前記清掃部に関する制御を実行する。【０００７】
本発明の他の局面によれば、空気調和システムは、空気清浄機と、空気調和機と、サーバーとを備える。空気清浄機は、空気中の塵埃を集塵する。空気調和機は、空気調和を行う。サーバーは、ネットワークを介して前記空気清浄機及び前記空気調和機に接続する。前記空気清浄機は、塵埃検知部と、通信部とを含む。塵埃検知部は、空気中の塵埃の量を検知する。通信部は、前記塵埃検知部が検知した塵埃の量を示す塵埃情報を前記サーバーに送信する。前記サーバーは、前記空気調和機を制御する制御情報を前記塵埃情報に基づいて生成して、前記制御情報を前記空気調和機に送信する。前記空気調和機は、フィルターと、清掃部と、通信部と、制御部とを含む。フィルターは、空気中の塵埃を集塵する。清掃部は、前記フィルターを清掃する。通信部は、前記サーバーから前記制御情報を受信する。制御部は、前記制御情報に基づいて前記清掃部に関する制御を実行する。
【発明の効果】
【０００８】
本発明によれば、フィルターを清掃する清掃部に関する制御を効率良く実行できる。
【図面の簡単な説明】
【０００９】
【図１】（ａ）本発明の実施形態１に係る空気調和システムを示す図である。（ｂ）実施形態１に係る空気調和システムの空気調和機及び空気清浄機を示す斜視図である。
【図２】実施形態１に係る空気調和システムの空気清浄機を示すブロック図である。
【図３】実施形態１に係る空気調和システムの空気調和機を示す斜視図である。
【図４】実施形態１に係る空気調和システムの空気調和機を示す断面図である。
【図５】実施形態１に係る空気調和システムの空気調和機のフィルター及びフィルター清掃装置を示す斜視図である。
【図６】実施形態１に係る空気調和システムの空気調和機を示すブロック図である。
【図７】実施形態１に係る空気調和システムの空気調和機の清掃動作を示すフローチャートである。
【図８】本発明の実施形態２に係る空気調和システムの空気調和機の清掃動作を示すフローチャートである。
【図９】本発明の実施形態３に係る空気調和システムの空気調和機の報知動作を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１〜図７を参照して、本発明の実施形態１に係る空気調和システム１００を説明する。まず、図１を参照して、空気調和システム１００を説明する。図１（ａ）は、空気調和システム１００を示す図である。図１（ｂ）は、空気調和システム１００の空気清浄機３及び空気調和機５を示す斜視図である。
【００１２】
図１（ａ）に示すように、空気調和システム１００は、サーバー１と、空気清浄機３と、空気調和機５と、通信端末７とを備える。サーバー１と空気清浄機３と空気調和機５と通信端末７とは、ネットワークＮＷを介して相互に接続される。ネットワークＮＷは、例えば、インターネット、ＬＡＮ（Ｌｏｃａｌ  Ａｒｅａ  Ｎｅｔｗｏｒｋ）、及び公衆電話網を含む。
【００１３】
サーバー１は、ネットワークＮＷに接続される。サーバー１は、コンピューターであり、ＣＰＵ（Ｃｅｎｔｒａｌ  Ｐｒｏｃｅｓｓｉｎｇ  Ｕｎｉｔ）のようなプロセッサーと、データ及びコンピュータープログラムを記憶する記憶装置とを含む。記憶装置は、半導体メモリーのような主記憶装置と、半導体メモリー及び／又はハードディスクドライブのような補助記憶装置とを含む。サーバー１のプロセッサーは、記憶装置が記憶しているコンピュータープログラムを実行して、各種処理を実行する。
【００１４】
具体的には、サーバー１は、ネットワークを介して、空気清浄機３、空気調和機５、及び通信端末７に接続する。サーバー１は、通信端末７の送信した情報ＩＦ１を受信する。そして、サーバー１は、情報ＩＦ１に基づいて空気清浄機３又は空気調和機５と通信する。従って、ユーザーは、通信端末７を操作して、サーバー１を介して空気清浄機３及び空気調和機５を操作できる。
【００１５】
また、サーバー１は、空気清浄機３の送信した情報ＩＦ２又は空気調和機５の送信した情報ＩＦ３を受信する。そして、サーバー１は、情報ＩＦ２又は情報ＩＦ３に基づいて通信端末７と通信する。従って、ユーザーは、通信端末７を操作して、サーバー１を介して空気清浄機３及び空気調和機５の情報を取得できる。
【００１６】
さらに、サーバー１は、空気清浄機３の情報ＩＦ２に基づいて空気調和機５と通信する。従って、サーバー１は、空気清浄機３の情報ＩＦ２に基づいて空気調和機５を制御できる。また、サーバー１は、空気調和機５の情報ＩＦ３に基づいて空気清浄機３と通信する。従って、サーバー１は、空気調和機５の情報ＩＦ３に基づいて空気清浄機３を制御できる。
【００１７】
図１（ａ）及び図１（ｂ）に示すように、空気清浄機３はネットワークＮＷに接続される。空気清浄機３は建造物の部屋ＲＭに設置される。以下、部屋ＲＭの内部を「室内」と記載する。空気清浄機３は、室内の空気中の塵埃を集塵する。
【００１８】
空気調和機５はネットワークＮＷに接続される。空気調和機５は建造物の部屋ＲＭに設置される。空気調和機５の設置される部屋ＲＭと空気清浄機３の設置される部屋ＲＭとは同じである。空気調和機５は空気調和を行う。空気調和機５は室内機である。なお、空気調和機５は、配管によって室外機と接続される。そして、配管を通して、空気調和機５と室外機との間で冷媒が循環する。室外機は室外に設置される。室外機は、ファンと、圧縮機と、熱交換器と、四方弁のような各種部品とを備える。
【００１９】
通信端末７はネットワークＮＷに接続される。通信端末７は表示部７ａを含む。表示部７ａは各種情報を表示する。通信端末７は、例えば、スマートフォン、タブレットコンピューター、又はパーソナルコンピューターである。通信端末７は、ＣＰＵのようなプロセッサーと、データ及びコンピュータープログラムを記憶する記憶装置とを含む。記憶装置は、サーバー１の記憶装置と同様の構成を有する。通信端末７のプロセッサーは、記憶装置が記憶しているコンピュータープログラムを実行して、各種処理を実行する。
【００２０】
次に、図２を参照して、空気清浄機３を詳細に説明する。図２は、空気清浄機３を示すブロック図である。図２に示すように、空気清浄機３は、制御部３０と、記憶部３１と、通信部３２と、フィルター３３と、ファン３４と、塵埃検知部３５とを含む。制御部３０は、記憶部３１、通信部３２、ファン３４、及び塵埃検知部３５を制御する。制御部３０はＣＰＵのようなプロセッサーを含む。記憶部３１は、記憶装置であり、データ及びコンピュータープログラムを記憶する。記憶装置は、サーバー１の記憶装置と同様の構成を有する。制御部３０のプロセッサーは、記憶部３１の記憶装置が記憶しているコンピュータープログラムを実行して、各種制御を実行する。
【００２１】
通信部３２はネットワークＮＷに接続する。そして、通信部３２は、ネットワークＮＷを介してサーバー１と通信する。従って、制御部３０は、通信部３２を介してサーバー１と通信する。通信部３２は、例えば、ネットワークインタフェースコントローラーである。
【００２２】
塵埃検知部３５は、空気中の塵埃の量（以下、「塵埃量」と記載する。）を検知する。実施形態１では、塵埃検知部３５は、空気中の塵埃の濃度（以下、「塵埃濃度」と記載する。）を検知する。具体的には、塵埃検知部３５は、発光素子及び受光素子を有する光学センサーを含み、受光素子から出力される出力パルス幅に基づいて空気中の塵埃の濃度（以下、「塵埃濃度」と記載する。）を検知する。塵埃検知部３５により検知される塵埃濃度は正規化され、塵埃検知部３５の検知範囲内で塵埃濃度が最も低い場合を「１」として最も高い場合を「０」としている。空気の汚れ度（以下、「汚れ度ＤＬ」と記載する。）は、塵埃濃度に応じて「小」、「中」、及び「大」の３ランクにランク分けされる。空気の汚れ度ＤＬは、室内の空気が塵埃によって汚れている程度を示す。塵埃検知部３５は、例えば、塵埃センサーである。
【００２３】
ファン３４は、室内の空気を空気清浄機３内部に取り込み、空気をフィルター３３に通過させる。その結果、フィルター３３は、空気中の塵埃を集塵する。フィルター３３は、例えば、ＨＥＰＡ（Ｈｉｇｈ  Ｅｆｆｉｃｉｅｎｃｙ  Ｐａｒｔｉｃｕｌａｔｅ  Ａｉｒ）フィルターである。制御部３０は、空気の汚れ度ＤＬが大きいほどファン３４の回転数を高くして、ファン３４の風量を大きくする。
【００２４】
次に、図３〜図６を参照して、空気調和機５を詳細に説明する。図３は、空気調和機５を示す斜視図である。図４は、空気調和機５を示す断面図である。図５は、空気調和機５のフィルター５１と、塵埃収容部５４ｃを含むフィルター清掃装置６０とを示す斜視図である。図６は、空気調和機５を示すブロック図である。
【００２５】
図３に示すように、空気調和機５は、キャビネット５０と、フィルター５１と、報知部５５とを含む。キャビネット５０は吸込口Ｐ１を有する。吸込口Ｐ１はキャビネット５０の上面に形成される。フィルター５１は吸込口Ｐ１に配置される。フィルター５１は室内の空気中の塵埃を集塵する。具体的には、フィルター５１は、吸込口Ｐ１から吸込んだ室内の空気から塵埃を集塵する。報知部５５は、発光することによって人に対して報知を行う。報知部５５は、例えば、単数又は複数のＬＥＤ（ｌｉｇｈｔ  ｅｍｉｔｔｉｎｇ  ｄｉｏｄｅ）を含む。報知部５５は、キャビネット５０の前面隅部に配置される。
【００２６】
図４に示すように、空気調和機５は、熱交換器５２と、ファン５３と、清掃部５４とをさらに含む。清掃部５４は、フィルター清掃装置６０の一部を構成している。熱交換器５２、ファン５３、及び清掃部５４（フィルター清掃装置６０）は、キャビネット５０に収容される。キャビネット５０は、吹出口Ｐ２を有する。吹出口Ｐ２は、キャビネット５０の前面下部に形成される。また、空気調和機５は案内路Ｇを有する。
【００２７】
熱交換器５２は熱交換を行う。具体的には、熱交換器５２は、空気と冷媒との間で熱エネルギーを交換する。キャビネット５０の内部には、吸込口Ｐ１から吹出口Ｐ２に至る空気通路が形成され、空気通路に熱交換器５２及びファン５３が配置される。ファン５３は、吸込口Ｐ１を通して、空気を吸い込み、吸い込んだ空気を、吹出口Ｐ２を通して外部に送り出す。ファン５３は、例えば、クロスフローファンである。
【００２８】
次に、図４及び図５を参照して、案内路Ｇ、フィルター５１、及び清掃部５４を説明する。図４に示すように、案内路Ｇは、第１案内路Ｇ１と第２案内路Ｇ２と第３案内路Ｇ３とを含む。第１案内路Ｇ１は、キャビネット５０の背面側から、キャビネット５０の前面側と背面側との中間位置まで延びている。第２案内路Ｇ２は、キャビネット５０の前面側と背面側との中間位置で第１案内路Ｇ１に接続され、キャビネット５０の前面側に向かって延びる。第３案内路Ｇ３は、キャビネット５０の前面側で第２案内路Ｇ２に接続され、キャビネット５０の前面側から折り返して、キャビネット５０の背面側に向かって延びる。そして、第３案内路Ｇ３は、キャビネット５０の前面側と背面側との中間位置で、第１案内路Ｇ１に接続する。
【００２９】
図４及び図５に示すように、フィルター５１は、湾曲して第１案内路Ｇ１から第２案内路Ｇ２にわたって配置され、塵埃を集塵する。図４では、フィルター５１は太線で表されている。フィルター５１が第１案内路Ｇ１から第２案内路Ｇ２にわたって配置されるときのフィルター５１の位置を「ホームポジション」と定義する。
【００３０】
清掃部５４は、フィルター５１に接触してフィルター５１を清掃する。清掃部５４は、キャビネット５０の前面側に配置される。具体的には、図４及び図５に示すように、清掃部５４は、移動部５４ａと、ブラシ５４ｂと、塵埃収容部５４ｃとを含む。
【００３１】
移動部５４ａは、フィルター５１を清掃するときに、フィルター５１を湾曲させながら案内路Ｇを移動させる。
【００３２】
具体的には、フィルター５１をホームポジション（第１案内路Ｇ１及び第２案内路Ｇ２）から第３案内路Ｇ３に向かって移動させ、更に、フィルター５１を第３案内路Ｇ３から第１案内路Ｇ１に向かって移動させる。その結果、フィルター５１は、第３案内路Ｇ３から第１案内路Ｇ１にわたって配置される。フィルター５１が第３案内路Ｇ３から第１案内路Ｇ１にわたって配置されるときのフィルター５１の位置を「リターンポジション」と定義する。なお、案内路Ｇにおいて、ホームポジションからリターンポジションまでの経路は、フィルター５１を清掃するときの往路を形成する。
【００３３】
更に、移動部５４ａは、フィルター５１をリターンポジション（第１案内路Ｇ１及び第３案内路Ｇ３）から第２案内路Ｇ２に向かって移動させ、更に、フィルター５１を第２案内路Ｇ２から第１案内路Ｇ１に向かって移動させる。その結果、フィルター５１はホームポジションに戻る。なお、案内路Ｇにおいて、リターンポジションからホームポジションまでの経路は、フィルター５１を清掃するときの復路を形成する。
【００３４】
移動部５４ａは、例えば、フィルター５１のラックに噛み合うピニオンと、ピニオンを回転駆動する移動用モーターとを含む。
【００３５】
ブラシ５４ｂは、回転用モーターによって駆動されて回転する。ブラシ５４ｂは、フィルター５１が案内路Ｇを移動するときにフィルター５１に接触して、フィルター５１に付着した塵埃を掻き取る。つまり、ブラシ５４ｂは、フィルター５１に付着した塵埃をフィルター５１から取り除く。その結果、フィルター５１が清掃される。ブラシ５４ｂは、「塵埃除去部」の一例に相当する。
【００３６】
塵埃収容部５４ｃは、ブラシ５４ｂの下方に配置される。塵埃収容部５４ｃの上面は開口している。そして、塵埃収容部５４ｃは、ブラシ５４ｂがフィルター５１から掻き取った塵埃を収容する。つまり、塵埃収容部５４ｃは、ブラシ５４ｂによってフィルター５１から取り除かれた塵埃を収容する。塵埃収容部５４ｃは、キャビネット５０に対して着脱自在である。従って、ユーザーは、塵埃収容部５４ｃをキャビネット５０から取り外して、塵埃収容部５４ｃに収容された塵埃を廃棄できる。そして、ユーザーは、塵埃収容部５４ｃをキャビネット５０に再び装着する。又は、ユーザーは、塵埃収容部５４ｃをキャビネット５０から取り外して、塵埃収容部５４ｃを交換できる。塵埃収容部５４ｃは、例えば、ダストボックスである。
【００３７】
図６に示すように、空気調和機５は、制御部５６と、記憶部５７と、通信部５８とさらに含む。制御部５６は、記憶部５７、通信部５８、熱交換器５２、ファン５３、清掃部５４、及び報知部５５を制御する。制御部５６はＣＰＵのようなプロセッサーを含む。記憶部５７は、記憶装置であり、データ及びコンピュータープログラムを記憶する。記憶装置は、サーバー１の記憶装置と同様の構成を有する。制御部５６のプロセッサーは、記憶部５７の記憶装置が記憶しているコンピュータープログラムを実行して、各種制御を実行する。
【００３８】
通信部５８はネットワークＮＷに接続する。そして、通信部５８は、ネットワークＮＷを介してサーバー１と通信する。従って、制御部５６は、通信部５８を介してサーバー１と通信する。通信部５８は、例えば、ネットワークインタフェースコントローラーである。
【００３９】
通信部５８を介して、空気調和機５は空気清浄機３と連携する。すなわち、通信部５８は、空気中の塵埃を集塵する空気清浄機３が検知した塵埃量に基づく制御情報（以下、「制御情報ＣＮ」と記載する。）を受信する。そして、制御部５６は、制御情報ＣＮに基づいて清掃部５４に関する制御を実行する。従って、制御部５６は、室内の塵埃量に応じて清掃部５４に関する制御を実行できる。その結果、実施形態１によれば、空気調和機５が空気清浄機３と連携することなく単独で清掃部５４に関する制御を実行する場合と比較して、フィルター５１を清掃する清掃部５４に関する制御を効率良く実行できる。
【００４０】
また、実施形態１では、制御情報ＣＮは、空気清浄機３の塵埃検知部３５（図２）が検知した塵埃量に基づいている。つまり、空気調和機５は、空気清浄機３の塵埃検知部３５を利用して、清掃部５４に関する制御を実行する。従って、空気調和機５は、塵埃検知部を搭載することなく、清掃部５４に関する制御を効率良く実行できる。その結果、空気調和機５が塵埃検知部を搭載する場合と比較して、空気調和機５のコストを低減できる。
【００４１】
特に、実施形態１では、「清掃部５４に関する制御」は、「清掃部５４の動作の制御」である。そこで、制御部５６は、塵埃量に基づく制御情報ＣＮに基づいて清掃部５４の動作を制御する。従って、制御部５６は、室内の塵埃量に応じて清掃部５４の動作を制御できる。その結果、実施形態１によれば、空気調和機５が空気清浄機３と連携することなく単独で清掃部５４の動作を制御する場合と比較して、清掃部５４の動作を室内の塵埃量に応じて効率良く実行できる。
【００４２】
次に、図１（ａ）、図２、及び図６を参照して、空気調和機５と空気清浄機３とのサーバー１を介した連携動作を説明する。図１（ａ）及び図２に示すように、空気清浄機３の塵埃検知部３５は、空気中の塵埃量を検知する。そして、通信部３２は、塵埃検知部３５が検知した塵埃量を示す塵埃情報（以下、「塵埃情報ＤＴ」と記載する。）をサーバー１に送信する。実施形態１では、塵埃情報ＤＴは、室内の空気の汚れ度ＤＬを示す情報を含む。
【００４３】
サーバー１は、空気調和機５を制御する制御情報ＣＮを塵埃情報ＤＴに基づいて生成する。実施形態１では、制御情報ＣＮは、塵埃情報ＤＴを複製した情報（つまり、塵埃情報ＤＴそのもの）であり、汚れ度ＤＬを示す情報を含む。サーバー１は、制御情報ＣＮを空気調和機５に送信する。
【００４４】
そして、図１（ａ）及び図６に示すように、空気調和機５の通信部５８は、サーバー１から制御情報ＣＮを受信する。そして、制御部５６は、制御情報ＣＮに基づいて清掃部５４に関する制御を実行する。従って、実施形態１によれば、空気調和機５は、空気清浄機３の塵埃検知部３５を利用して、室内の塵埃量に応じて清掃部５４に関する制御を効率良く実行できる。つまり、空気調和機５は、空気清浄機３の塵埃検知部３５が検知した空気の汚れ度ＤＬに応じて清掃部５４に関する制御を効率良く実行できる。
【００４５】
次に、図６及び図７を参照して、空気調和機５が制御情報ＣＮに基づいて清掃部５４の動作を制御するときの処理を説明する。図７は、空気調和機５の清掃動作を示すフローチャートである。図６及び図７に示すように、空気調和機５の制御部５６は、清掃部５４によるフィルター５１の清掃回数を制御する。具体的には、制御部５６の処理は、ステップＳ１〜ステップＳ６を含む。
【００４６】
ステップＳ１において、制御部５６は、空気調和機５が空気調和のための運転（以下、「空気調和運転」と記載する。）を停止したか否かを判定する。運転の停止は、例えば、ユーザーの操作による場合や、運転オフタイマーによる場合がある。空気調和運転は、例えば、冷房運転、暖房運転、除湿運転、又は、送風運転である。
【００４７】
ステップＳ１で否定判定（ステップＳ１でＮｏ）がされた場合は、処理が終了する。
【００４８】
一方、ステップＳ１で肯定判定（ステップＳ１でＹｅｓ）がされた場合は、処理がステップＳ２に進む。
【００４９】
ステップＳ２において、制御部５６は、通信部５８が空気調和運転の停止前に汚れ度ＤＬ「大」を示す制御情報ＣＮをサーバー１から受信していたか否かを判定する。
【００５０】
ステップＳ２で肯定判定（ステップＳ２でＹｅｓ）がされた場合は、処理がステップＳ３に進む。
【００５１】
ステップＳ３において、制御部５６は、標準清掃回数Ｎｓよりも清掃回数を増やしてフィルター５１を清掃するように、清掃部５４を制御する。その結果、清掃部５４は、標準清掃回数Ｎｓよりも多い清掃回数Ｎ１でフィルター５１を清掃する。従って、室内の塵埃量が比較的多い場合に、フィルター５１を効果的に清掃できる。
【００５２】
例えば、標準清掃回数Ｎｓは、フィルター５１を案内路Ｇ（図４）に沿って２往復することを示す「２」である。例えば、清掃回数Ｎ１は、フィルター５１を案内路Ｇに沿って４往復することを示す「４」である。
【００５３】
一方、ステップＳ２で否定判定（ステップＳ２でＮｏ）がされた場合は、処理がステップＳ４に進む。
【００５４】
ステップＳ４において、制御部５６は、通信部５８が空気調和運転の停止前に汚れ度ＤＬ「小」を示す制御情報ＣＮをサーバー１から受信していたか否かを判定する。
【００５５】
ステップＳ４で肯定判定（ステップＳ４でＹｅｓ）がされた場合は、処理がステップＳ５に進む。
【００５６】
ステップＳ５において、制御部５６は、標準清掃回数Ｎｓよりも清掃回数を減らしてフィルター５１を清掃するように、清掃部５４を制御する。その結果、清掃部５４は、標準清掃回数Ｎｓよりも少ない清掃回数Ｎ２でフィルター５１を清掃する。従って、室内の塵埃量が比較的少ない場合に、フィルター５１を清掃するときの消費電力を抑制しつつ、塵埃量に応じてフィルター５１を適切に清掃できる。
【００５７】
例えば、清掃回数Ｎ２は、フィルター５１を案内路Ｇ（図４）に沿って１往復することを示す「１」である。
【００５８】
一方、ステップＳ４で否定判定（ステップＳ４でＮｏ）がされた場合は、処理がステップＳ６に進む。否定判定（ステップＳ４でＮｏ）は、通信部５８が空気調和運転の停止前に汚れ度ＤＬ「中」を示す制御情報ＣＮをサーバー１から受信していたと、制御部５６が判定したことを示す。
【００５９】
ステップＳ６において、制御部５６は、標準清掃回数Ｎｓでフィルター５１を清掃するように、清掃部５４を制御する。その結果、清掃部５４は、標準清掃回数Ｎｓでフィルター５１を清掃する。従って、室内の塵埃量が中程度である場合に、必要十分な回数でフィルター５１を清掃できる。その結果、フィルター５１を清掃するときの消費電力量を適正にすることができる。
【００６０】
以上、図７を参照して説明したように、実施形態１によれば、制御部５６は、塵埃量に基づく制御情報ＣＮに基づいて、清掃部５４によるフィルター５１の清掃回数を制御する。従って、室内の塵埃量に応じた適切な清掃回数でフィルター５１を清掃できる。その結果、フィルター５１を清掃するときの消費電力を最適化できる。なお、ステップＳ２とステップＳ４との順番は逆でもよい。また、「制御部５６が制御情報ＣＮに基づいて清掃部５４に関する制御を実行すること」は、例えば、ステップＳ３、ステップＳ５、及びステップＳ６に相当する。
【００６１】
（実施形態２）
次に、図６及び図８を参照して、本発明の実施形態２に係る空気調和システム１００を説明する。実施形態２が、清掃部５４によるフィルター５１の清掃時間を制御する点で、実施形態２は実施形態１と主に異なる。なお、実施形態２では、実施形態１と同様に、「清掃部５４に関する制御」は、「清掃部５４の動作の制御」である。以下、実施形態２が実施形態１と異なる点を主に説明する。
【００６２】
図６及び図８を参照して、空気調和システム１００の空気調和機５が制御情報ＣＮに基づいて清掃部５４の動作を制御するときの処理を説明する。図８は、実施形態２に係る空気調和機５の清掃動作を示すフローチャートである。図６及び図８に示すように、空気調和機５の制御部５６は、清掃部５４によるフィルター５１の清掃時間を制御する。具体的には、制御部５６の処理は、ステップＳ１１〜ステップＳ１６を含む。
【００６３】
ステップＳ１１において、制御部５６は、空気調和機５が空気調和運転を停止したか否かを判定する。
【００６４】
ステップＳ１１で否定判定（ステップＳ１１でＮｏ）がされた場合は、処理が終了する。
【００６５】
一方、ステップＳ１１で肯定判定（ステップＳ１１でＹｅｓ）がされた場合は、処理がステップＳ１２に進む。
【００６６】
ステップＳ１２において、制御部５６は、通信部５８が空気調和運転の停止前に汚れ度ＤＬ「大」を示す制御情報ＣＮをサーバー１から受信していたか否かを判定する。
【００６７】
ステップＳ１２で肯定判定（ステップＳ１２でＹｅｓ）がされた場合は、処理がステップＳ１３に進む。
【００６８】
ステップＳ１３において、制御部５６は、標準清掃時間Ｔｓよりも清掃時間を増やしてフィルター５１を清掃するように、清掃部５４を制御する。その結果、清掃部５４は、標準清掃時間Ｔｓよりも長い清掃時間Ｔ１でフィルター５１を清掃する。従って、室内の塵埃量が比較的多い場合に、フィルター５１を効果的に清掃できる。例えば、標準清掃時間Ｔｓは「５分」である。例えば、清掃時間Ｔ１は「１０分」である。
【００６９】
一方、ステップＳ１２で否定判定（ステップＳ１２でＮｏ）がされた場合は、処理がステップＳ１４に進む。
【００７０】
ステップＳ１４において、制御部５６は、通信部５８が空気調和運転の停止前に汚れ度ＤＬ「小」を示す制御情報ＣＮをサーバー１から受信していたか否かを判定する。
【００７１】
ステップＳ１４で肯定判定（ステップＳ１４でＹｅｓ）がされた場合は、処理がステップＳ１５に進む。
【００７２】
ステップＳ１５において、制御部５６は、標準清掃時間Ｔｓよりも清掃時間を減らしてフィルター５１を清掃するように、清掃部５４を制御する。その結果、清掃部５４は、標準清掃時間Ｔｓよりも短い清掃時間Ｔ２でフィルター５１を清掃する。従って、室内の塵埃量が比較的少ない場合に、フィルター５１を清掃するときの消費電力を抑制しつつ、塵埃量に応じてフィルター５１を適切に清掃できる。例えば、清掃時間Ｔ２は「２分３０秒」である。
【００７３】
一方、ステップＳ１４で否定判定（ステップＳ１４でＮｏ）がされた場合は、処理がステップＳ１６に進む。否定判定（ステップＳ１４でＮｏ）は、通信部５８が空気調和運転の停止前に汚れ度ＤＬ「中」を示す制御情報ＣＮをサーバー１から受信していたと、制御部５６が判定したことを示す。
【００７４】
ステップＳ１６において、制御部５６は、標準清掃時間Ｔｓでフィルター５１を清掃するように、清掃部５４を制御する。その結果、清掃部５４は、標準清掃時間Ｔｓでフィルター５１を清掃する。従って、室内の塵埃量が中程度である場合に、必要十分な時間でフィルター５１を清掃できる。その結果、フィルター５１を清掃するときの消費電力量を適正にすることができる。
【００７５】
以上、図８を参照して説明したように、実施形態２によれば、制御部５６は、塵埃量に基づく制御情報ＣＮに基づいて、清掃部５４によるフィルター５１の清掃時間を制御する。従って、室内の塵埃量に応じた適切な清掃時間でフィルター５１を清掃できる。その結果、フィルター５１を清掃するときの消費電力を最適化できる。なお、ステップＳ１２とステップＳ１４との順番は逆でもよい。また、「制御部５６が制御情報ＣＮに基づいて清掃部５４に関する制御を実行すること」は、例えば、ステップＳ１３、ステップＳ１５、及びステップＳ１６に相当する。
【００７６】
（実施形態３）
次に、図６及び図９を参照して、本発明の実施形態３に係る空気調和システム１００を説明する。実施形態３が、清掃部５４に関する情報を報知する点で、実施形態３は実施形態１と主に異なる。つまり、実施形態３では、「清掃部５４に関する制御」は、「清掃部５４に関する情報の報知の制御」である。以下、実施形態３が実施形態１と異なる点を主に説明する。
【００７７】
まず、図１（ａ）及び図６を参照して、空気調和機５による清掃部５４に関する情報の報知を説明する。
【００７８】
図６に示すように、空気調和機５の通信部５８は、空気清浄機３が検知した塵埃量に基づく制御情報ＣＮを受信する。そして、制御部５６は、制御情報ＣＮに基づいて清掃部５４に関する情報の報知を制御する。従って、制御部５６は、室内の塵埃量に応じて清掃部５４に関する情報を報知できる。その結果、実施形態３によれば、空気調和機５が空気清浄機３と連携することなく単独で清掃部５４に関する情報を報知する場合と比較して、清掃部５４に関する情報を室内の塵埃量に応じて適切に報知できる。
【００７９】
実施形態３では、清掃部５４に関する情報は、清掃部５４の状態を示す情報である。具体的には、清掃部５４に関する情報は、塵埃収容部５４ｃ（図５）を清掃すること、又は、塵埃収容部５４ｃを交換することを示す。従って、室内の塵埃量に応じた適切なタイミングで、塵埃収容部５４ｃを清掃すること、又は、塵埃収容部５４ｃを交換することを、ユーザーに対して報知できる。
【００８０】
すなわち、室内の塵埃量が多い場合は、塵埃収容部５４ｃが比較的早く塵埃で満杯になることを予測でき、室内の塵埃量が少ない場合は、塵埃収容部５４ｃが比較的遅く塵埃で満杯になることを予測できる。従って、室内の塵埃量が多い場合は、比較的早いタイミングで、塵埃収容部５４ｃを清掃すること、又は、塵埃収容部５４ｃを交換することを、ユーザーに対して報知できる。また、室内の塵埃量が少ない場合は、比較的遅いタイミングで、塵埃収容部５４ｃを清掃すること、又は、塵埃収容部５４ｃを交換することを、ユーザーに対して報知できる。その結果、ユーザーは、適切なタイミングで、塵埃収容部５４ｃを清掃又は交換できる。
【００８１】
具体的には、制御部５６は、室内の塵埃量に基づく制御情報ＣＮに基づいて、報知部５５が発光するように、報知部５５を制御する。その結果、報知部５５は、発光することによって、室内のユーザーに対して清掃部５４に関する情報を報知する。なお、制御部５６は、報知を音声によって実行してもよい。
【００８２】
また、図１（ａ）及び図６に示すように、制御部５６は、清掃部５４に関する情報をサーバー１に送信するように、通信部５８を制御する。その結果、通信部５８は、清掃部５４に関する情報をサーバー１に送信する。つまり、制御部５６は、清掃部５４に関する情報をサーバー１に報知する。そして、サーバー１は、清掃部５４に関する情報を通信端末７に送信する。つまり、サーバー１は、清掃部５４に関する情報を通信端末７に報知する。そして、通信端末７は清掃部５４に関する情報を受信する。さらに、表示部７ａは、清掃部５４に関する情報を表示することによって、通信端末７のユーザーに対して清掃部５４に関する情報を報知する。換言すれば、空気調和機５の制御部５６は、サーバー１及び通信端末７を介して清掃部５４に関する情報を報知する。
【００８３】
次に、図６及び図９を参照して、空気調和機５が清掃部５４に関する情報の報知を制御するときの処理を説明する。図９は、空気調和機５の報知動作を示すフローチャートである。図６及び図９に示すように、空気調和機５の制御部５６は、清掃部５４に関する情報を報知する。具体的には、制御部５６の処理は、ステップＳ２１〜ステップＳ３０を含む。
【００８４】
ステップＳ２１において、制御部５６は、空気調和機５が空気調和運転を開始したか否かを判定する。
【００８５】
ステップＳ２１で否定判定（ステップＳ２１でＮｏ）がされた場合は、処理がステップＳ２１に戻る。
【００８６】
一方、ステップＳ２１で肯定判定（ステップＳ２１でＹｅｓ）がされた場合は、処理がステップＳ２２に進む。
【００８７】
ステップＳ２２において、制御部５６は、通信部５８が汚れ度ＤＬ「大」を示す制御情報ＣＮをサーバー１から受信したか否かを判定する。なお、空気清浄機３の通信部３２（図２）は、所定時間間隔で、制御情報ＣＮをサーバー１に送信する。
【００８８】
ステップＳ２２で肯定判定（ステップＳ２２でＹｅｓ）がされた場合は、処理がステップＳ２３に進む。
【００８９】
ステップＳ２３において、制御部５６は、カウント値Ｃに値「２Ｔ」を加算する。値「Ｔ」は所定値を示す。実施形態３では、値「Ｔ」は所定時間（例えば１秒）を示す。従って、ステップＳ２３では、室内の汚れ度ＤＬが「大」の場合、カウント値Ｃに値「Ｔ」を加算する場合と比較して、カウント値が２倍の速さでインクリメントされる。つまり、室内の汚れ度ＤＬが「大」の場合、カウント値Ｃの表す時間が速く進む。
【００９０】
一方、ステップＳ２２で否定判定（ステップＳ２２でＮｏ）がされた場合は、処理がステップＳ２４に進む。
【００９１】
ステップＳ２４において、制御部５６は、通信部５８が汚れ度ＤＬ「小」を示す制御情報ＣＮをサーバー１から受信したか否かを判定する。
【００９２】
ステップＳ２４で肯定判定（ステップＳ２４でＹｅｓ）がされた場合は、処理がステップＳ２５に進む。
【００９３】
ステップＳ２５において、制御部５６は、カウント値Ｃに値「（１／２）Ｔ」を加算する。従って、ステップＳ２５では、室内の汚れ度ＤＬが「小」の場合、カウント値Ｃに値「Ｔ」を加算する場合と比較して、カウント値が１／２倍の速さでインクリメントされる。つまり、室内の汚れ度ＤＬが「小」の場合、カウント値Ｃの表す時間が遅く進む。
【００９４】
一方、ステップＳ２４で否定判定（ステップＳ２４でＮｏ）がされた場合は、処理がステップＳ２６に進む。否定判定（ステップＳ２４でＮｏ）は、通信部５８が汚れ度ＤＬ「中」を示す制御情報ＣＮをサーバー１から受信したと、制御部５６が判定したことを示す。
【００９５】
ステップＳ２６において、制御部５６は、カウント値Ｃに値「Ｔ」を加算する。従って、ステップＳ２６では、室内の汚れ度ＤＬが「中」の場合、カウント値Ｃが通常通りの速さでインクリメントされる。つまり、室内の汚れ度ＤＬが「中」の場合、カウント値Ｃの表す時間が通常通り進む。
【００９６】
ステップＳ２３の後、ステップＳ２５の後、又は、ステップＳ２６の後、ステップＳ２７において、制御部５６は、カウント値Ｃが閾値ＴＨ以上か否かを判定する。例えば、閾値ＴＨは「１０００時間」である。
【００９７】
ステップＳ２７で肯定判定（ステップＳ２７でＹｅｓ）がされた場合は、処理がステップＳ２９に進む。
【００９８】
ステップＳ２９において、制御部５６は、清掃部５４に関する情報を報知する。従って、ユーザーは、空気調和機５の報知部５５又は通信端末７の表示部７ａによって、塵埃収容部５４ｃを清掃する時期が到来したこと、又は、塵埃収容部５４ｃを交換する時期が到来したことを知ることができる。
【００９９】
ここで、汚れ度ＤＬが「大」である間は、カウント値Ｃが速く進むため、室内の塵埃量が多いと、比較的早く清掃部５４に関する情報が報知される。一方、汚れ度ＤＬが「小」である間は、カウント値Ｃが遅く進むため、室内の塵埃量が少ないと、比較的遅く清掃部５４に関する情報が報知される。従って、ユーザーは、塵埃収容部５４ｃを清掃する時期が到来したこと、又は、塵埃収容部５４ｃを交換する時期が到来したことを、室内の塵埃量に応じて適切なタイミングで知ることができる。
【０１００】
ステップＳ３０において、制御部５６は、カウント値Ｃにゼロを代入して、カウント値Ｃをリセットする。
【０１０１】
一方、ステップＳ２７で否定判定（ステップＳ２７でＮｏ）がされた場合は、処理がステップＳ２８に進む。否定判定（ステップＳ２７でＮｏ）は、塵埃収容部５４ｃの清掃時期及び交換時期が未だ到来していないことを示す。
【０１０２】
ステップＳ２８において、制御部５６は、空気調和機５が空気調和運転を停止したか否かを判定する。
【０１０３】
ステップＳ２８で否定判定（ステップＳ２８でＮｏ）がされた場合は、処理がステップＳ２２に進む。
【０１０４】
一方、ステップＳ２８で肯定判定（ステップＳ２８でＹｅｓ）がされた場合は、処理が終了する。従って、仮に空気調和運転中に常に汚れ度が「中」の場合は、カウント値Ｃは、空気調和運転の累積実行時間を示す。
【０１０５】
以上、図９を参照して説明したように、実施形態３によれば、制御部５６は、塵埃量に基づく制御情報ＣＮに基づいて、清掃部５４に関する情報を報知する。従って、塵埃収容部５４ｃに収容された塵埃が満杯になるような適切なタイミングで、塵埃収容部５４ｃを清掃すること、又は、塵埃収容部５４ｃを交換することを、ユーザーに報知できる。なお、ステップＳ２２とステップＳ２４との順番は逆でもよい。また、「制御部５６が制御情報ＣＮに基づいて清掃部５４に関する制御を実行すること」は、例えば、ステップＳ２３、ステップＳ２５、ステップＳ６、ステップＳ２７、及びステップＳ２９に相当する。
【０１０６】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（８））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１０７】
（１）図１、図２、及び図６を参照して説明した実施形態１〜実施形態３では、制御情報ＣＮは、塵埃情報ＤＴを複製した情報であった。ただし、制御情報ＣＮは、塵埃情報ＤＴに基づいている限りにおいては、塵埃情報ＤＴを複製した情報に限定されない。
【０１０８】
例えば、実施形態１及び実施形態２では、制御情報ＣＮは、清掃部５４の動作を制御する情報であってよい。例えば、実施形態１において、制御情報ＣＮは、汚れ度ＤＬに応じた清掃回数で清掃するように清掃部５４を制御する情報であってよい（図７参照）。例えば、実施形態２において、制御情報ＣＮは、汚れ度ＤＬに応じた清掃時間で清掃するように清掃部５４を制御する情報であってよい（図８参照）。
【０１０９】
例えば、実施形態３では、制御情報ＣＮは、清掃部５４に関する情報の報知を制御する情報であってよい。例えば、制御情報ＣＮは、カウント値Ｃに加算する値を示す情報であってよい（図７参照）。
【０１１０】
また、空気清浄機３の送信する塵埃情報ＤＴは、室内の塵埃量が直接的又は間接的に示される限りにおいては、汚れ度ＤＬを示す情報に限定されず、例えば、塵埃濃度を示す情報であってもよい。
【０１１１】
（２）図１、図２、及び図６を参照して説明した実施形態１〜実施形態３では、空気調和機５と空気清浄機３とはサーバー１を介して通信した。ただし、制御情報ＣＮが空気調和機５に送信される限りにおいては、空気調和機５と空気清浄機３とが、サーバー１を介することなく通信してもよい。つまり、空気清浄機３が、塵埃情報ＤＴに基づく制御情報ＣＮを、ネットワークＮＷを介して、空気調和機５に送信してよい。この場合でも、例えば、制御情報ＣＮは、塵埃情報ＤＴを複製した情報であってもよいし、清掃部５４の動作を制御する情報であってもよいし、カウント値Ｃに加算する値を示す情報であってもよい。
【０１１２】
また、ネットワークＮＷを介さずに直接、空気調和機５と空気清浄機３とが通信する構成であってもよい。
【０１１３】
また、実施形態３において、空気調和機５は、サーバー１を介することなく、清掃部５４に関する情報を通信端末７に送信してもよい。つまり、空気調和機５は、サーバー１を介することなく、清掃部５４に関する情報を通信端末７に報知してもよい。
【０１１４】
（３）図４を参照して説明した実施形態１〜実施形態３では、空気調和機５の清掃部５４が一定の位置に位置しつつ、フィルター５１が移動することによって、フィルター５１を清掃した。ただし、フィルター５１が清掃される限りにおいては、清掃方法及び清掃部の構成は特に限定されない。また、フィルター５１が塵埃を集塵する限りにおいては、フィルター５１の構成は特に限定されない。
【０１１５】
例えば、フィルター５１が静止しており、清掃部がフィルター５１に接触しつつ水平方向に移動することで、フィルター５１を清掃してもよい。例えば、フィルター５１が静止しており、清掃部がフィルター５１に接触しつつフィルター５１の湾曲方向に移動することで、フィルター５１を清掃してもよい。また、清掃部は、フィルター５１を複数の領域に分けて、領域ごとに清掃してもよい。例えば、清掃部は、１回の清掃でフィルター５１の１領域を清掃し、複数回の清掃でフィルター５１の全体の清掃を完了する。この場合、例えば、汚れ度ＤＬ「小」で１回の清掃、汚れ度ＤＬ「中」で２回の清掃、汚れ度ＤＬ「大」で３回の清掃を行う（図７参照）。
【０１１６】
（４）図７〜図９を参照して説明した実施形態１〜実施形態３では、汚れ度ＤＬを３ランクに分けたが、３ランク以外の複数のランクに分けてもよい。そして、複数のランクごとに、例えば、清掃回数、清掃時間、又は、カウント値に加算する値を設定してもよい。
【０１１７】
（５）図９を参照して説明した実施形態３では、カウント値Ｃに加算する値を、汚れ度ＤＬに応じて変更した。ただし、汚れ度ＤＬが大きい程、早く報知が行われる限りにおいては、カウント値Ｃに加算する値は一定であってもよい。この場合、汚れ度ＤＬに応じて閾値ＴＨを変更する。例えば、汚れ度ＤＬが「大」の場合、閾値ＴＨを最も低く設定し、汚れ度ＤＬが「小」の場合、閾値ＴＨを最も高く設定する。
【０１１８】
（６）図７及び図８を参照して説明した実施形態１及び実施形態２において、次のような変形が可能である。
【０１１９】
例えば、制御部５６は、規定塵埃量よりも塵埃量が多い程、フィルター５１の清掃回数又は清掃時間を増加することができる。例えば、制御部５６は、通信部５８が空気調和運転の停止前に汚れ度ＤＬ「大」を示す制御情報ＣＮをサーバー１から受信していた場合に、清掃回数Ｎ１０又は清掃時間Ｔ１０でフィルター５１を清掃するように、清掃部５４を制御する。また、制御部５６は、通信部５８が空気調和運転の停止前に汚れ度ＤＬ「中」を示す制御情報ＣＮをサーバー１から受信していた場合に、清掃回数Ｎ１１又は清掃時間Ｔ１１でフィルター５１を清掃するように、清掃部５４を制御する。清掃回数Ｎ１０は清掃回数Ｎ１１より多い。清掃時間Ｔ１０は清掃時間Ｔ１１より長い。なお、この例では、汚れ度ＤＬ「小」が規定塵埃量に相当する。そして、汚れ度ＤＬ「小」では、標準清掃回数Ｎｓ又は標準清掃時間Ｔｓでフィルター５１を清掃する。Ｎ１０＞Ｎ１１＞Ｎｓ、Ｔ１０＞Ｔ１１＞Ｔｓ、である。
【０１２０】
例えば、制御部５６は、規定塵埃量よりも塵埃量が少ない程、フィルター５１の清掃回数又は清掃時間を減少することができる。例えば、制御部５６は、通信部５８が空気調和運転の停止前に汚れ度ＤＬ「中」を示す制御情報ＣＮをサーバー１から受信していた場合に、清掃回数Ｎ１２又は清掃時間Ｔ１２でフィルター５１を清掃するように、清掃部５４を制御する。また、制御部５６は、通信部５８が空気調和運転の停止前に汚れ度ＤＬ「小」を示す制御情報ＣＮをサーバー１から受信していた場合に、清掃回数Ｎ１３又は清掃時間Ｔ１３でフィルター５１を清掃するように、清掃部５４を制御する。清掃回数Ｎ１３は清掃回数Ｎ１２より少ない。清掃時間Ｔ１３は清掃時間Ｔ１２より短い。なお、この例では、汚れ度ＤＬ「大」が規定塵埃量に相当する。そして、汚れ度ＤＬ「大」では、標準清掃回数Ｎｓ又は標準清掃時間Ｔｓでフィルター５１を清掃する。Ｎｓ＞Ｎ１２＞Ｎ１３、Ｔｓ＞Ｔ１２＞Ｔ１３、である。
【０１２１】
（７）図４を参照して説明した実施形態１において、次のような変形が可能である。
【０１２２】
例えば、制御部５６は、塵埃量に基づく制御情報ＣＮに基づいて、清掃部５４がフィルター５１を清掃する際のフィルター５１の移動速度を制御する。従って、室内の塵埃量に応じて効果的にフィルター５１を清掃できる。この場合、ブラシ５４ｂの回転数は一定である。回転数は、単位時間当たりのブラシ５４ｂの回転数を示す。
【０１２３】
具体的には、制御部５６は、移動部５４ａを制御して、フィルター５１の移動速度を制御する。例えば、図７のステップＳ３では、制御部５６は、標準移動速度Ｖｓよりも移動速度を遅くしてフィルター５１を清掃するように、清掃部５４を制御する。その結果、清掃部５４は、標準移動速度Ｖｓよりも遅い移動速度Ｖ１でフィルター５１を移動して、フィルター５１を清掃する。これにより、フィルター５１を念入りに清掃することができる。従って、室内の塵埃量が比較的多い場合に、フィルター５１に埃が残らないよう、フィルター５１を効果的に清掃できる。
【０１２４】
また、図７のステップＳ５では、制御部５６は、標準移動速度Ｖｓよりも移動速度を速くしてフィルター５１を清掃するように、清掃部５４を制御する。その結果、清掃部５４は、標準移動速度Ｖｓよりも速い移動速度Ｖ２でフィルター５１を移動して、フィルター５１を清掃する。従って、室内の塵埃量が比較的少ない場合に、フィルター５１を清掃するときの時間を短縮することができ、塵埃量に応じてフィルター５１を適切に清掃できる。
【０１２５】
さらに、図７のステップＳ６では、制御部５６は、標準移動速度Ｖｓでフィルター５１を清掃するように、清掃部５４を制御する。その結果、清掃部５４は、標準移動速度Ｖｓでフィルター５１を移動して、フィルター５１を清掃する。従って、室内の塵埃量が中程度である場合に、必要十分な回数でフィルター５１を清掃できる。その結果、フィルター５１を清掃するときの消費電力量を適正にすることができる。
【０１２６】
なお、上記（６）に示した内容と同様に、制御部５６は、規定塵埃量よりも塵埃量が多い程、フィルター５１の移動速度を遅くすることができる。また、制御部５６は、規定塵埃量よりも塵埃量が少ない程、フィルター５１の移動速度を速くすることができる。
【０１２７】
また、上記（３）に示した清掃部の構成において、制御部５６は、塵埃量に基づく制御情報ＣＮに基づいて、清掃部の移動速度を制御することもできる。例えば、制御部５６は、規定塵埃量よりも塵埃量が多い程、清掃部の移動速度を遅くして念入りにフィルター５１を清掃する。また、制御部５６は、規定塵埃量よりも塵埃量が少ない程、清掃部の移動速度を速くして、清掃時間を短縮する。
【０１２８】
（８）実施形態１と実施形態２と実施形態３とのうちの２以上の特徴を組み合わせてもよい。
【産業上の利用可能性】
【０１２９】
本発明は、空気調和機及び空気調和システムを提供するものであり、産業上の利用可能性を有する。
【符号の説明】
【０１３０】
１    サーバー
３    空気清浄機
５    空気調和機
３２    通信部
３５    塵埃検知部
５１    フィルター
５４    清掃部
５４ｂ    ブラシ（塵埃除去部）
５４ｃ    塵埃収容部
５６    制御部
５８    通信部
１００    空気調和システム
【図１】
2019167313.tif 000003
【図２】
2019167313.tif 000004
【図３】
2019167313.tif 000005
【図４】
2019167313.tif 000006
【図５】
2019167313.tif 000007
【図６】
2019167313.tif 000008
【図７】
2019167313.tif 000009
【図８】
2019167313.tif 000010
【図９】
2019167313.tif 000011
【国際調査報告】
2019167313.tif 000012
2019167313.tif 000013
2019167313.tif 000014
2019167313.tif 000015